(57)【要約】【課題】農作業機の使用時において、取り扱いが容易なスタンド装置を提供する。【解決手段】本発明によるスタンド装置は、作業機を脱着可能に支持するスタンド装置であって、第１連結部材を介して作業機と連結可能であり、第２連結部材を介して互いに連結可能な一対の枠体と、前記一対の枠体の各々に取り付けられた複数のキャスタとを備える。【選択図】図８
2018000143.tif 000002
【特許請求の範囲】
【請求項１】
作業機を脱着可能に支持するスタンド装置であって、
第１連結部材を介して作業機と連結可能であり、第２連結部材を介して互いに連結可能な一対の枠体と、
前記一対の枠体の各々に取り付けられた複数のキャスタとを備えたスタンド装置。
【請求項２】
前記一対の枠体の各々は、前記第１連結部材を介して前記第２連結部材と連結可能であることを特徴とする請求項１に記載のスタンド装置。
【請求項３】
前記第２連結部材は、前記一対の枠体の各々に設けられていることを特徴とする請求項２に記載のスタンド装置。
【請求項４】
前記第１連結部材は、ロックピンである請求項１乃至請求項３のいずれか一に記載のスタンド装置。
【請求項５】
前記一対の枠体の各々は、前記ロックピンが抜き差し可能に挿通され、前記作業機及び前記一対の枠体の各々を連結するための第１挿通孔を有することを特徴とする請求項４に記載のスタンド装置。
【請求項６】
前記一対の枠体の各々は、前記ロックピンが抜き差し可能に挿通され、前記第２連結部材及び前記一対の枠体の各々を連結するための第２挿通孔を有することを特徴とする請求項４に記載のスタンド装置。
【請求項７】
前記一対の枠体と連結可能な第３連結部材を更に備えた請求項１乃至請求項６のいずれか一に記載のスタンド装置。
【請求項８】
前記一対の枠体の各々は、磁石を介して前記第２連結部材と連結可能であることを特徴とする請求項１に記載のスタンド装置。
【請求項９】
前記第３連結部材は、把手を有することを特徴とする請求項７に記載のスタンド装置。
【発明の詳細な説明】
【技術分野】
【０００１】
本発明は農作業機等の作業機を支持するスタンド装置に関する。
【背景技術】
【０００２】
ロータリ耕耘装置等の農作業機は、その使用時には、トラクタの後部に３点リンクヒッチ機構を介して昇降可能に装着される。ロータリ耕耘装置は、複数の耕耘爪が取り付けられた耕耘ロータを有し、耕耘ロータはトラクタからの動力が伝達されて回転する。
【０００３】
また、ロータリ耕耘装置等の農作業機は、その非使用時には、スタンド装置に支持され、倉庫等に保管される。スタンド装置は、例えばロックピン等の連結部材を介して農作業機と連結され、農作業機を脱着可能に支持する。
【０００４】
例えば特許文献１には、耕耘爪を有する作業機のスタンドであって、前記スタンドを、キャスタを前後に有する水平杆部と、水平杆部に立設した立上り杆部とによって構成すると共に、スタンドを作業機のホルダーに着脱可能にした発明が開示されている。
【先行技術文献】
【特許文献】
【０００５】
【特許文献１】実開昭６４−２６９０４号公報
【発明の概要】
【発明が解決しようとする課題】
【０００６】
上記のスタンドが有する構成においては、作業機の非使用時、つまりスタンドの使用時に、連結ピン及び抜け止めピンを用いてスタンドが作業機に連結される。連結ピンや抜け止めピンは細かく小さいものであるため、作業機の使用時、つまりスタンドの非使用時に、外したそれらのピンを紛失し易い等、取り扱いが煩雑になるという課題がある。また、スタンドの非使用時にはスタンドが自立できないことから、その構成部品を保管しておく際、壁に立てかけたり、地面に倒したりすることになる。そのため、運搬や移動が困難であったり場所を取ったりするという課題がある。
【０００７】
本願発明は、上記実情に鑑み、農作業機の使用時において、取り扱いが容易なスタンド装置を提供することを目的とする。
【課題を解決するための手段】
【０００８】
本発明の一実施形態によるスタンド装置は、作業機を脱着可能に支持するスタンド装置であって、第１連結部材を介して作業機と連結可能であり、第２連結部材を介して互いに連結可能な一対の枠体と、前記一対の枠体の各々に取り付けられた複数のキャスタとを備える。
【発明の効果】
【０００９】
本発明によれば、農作業機の使用時において、取り扱いが容易なスタンド装置を提供することができる。
【図面の簡単な説明】
【００１０】
【図１】本発明の一実施形態に係るスタンド装置の、農作業機を支持した状態を説明する斜視図である。
【図２Ａ】本発明の一実施形態に係るスタンド装置の、農作業機を支持した状態を説明する側面図である。
【図２Ｂ】本発明の一実施形態に係るスタンド装置の、農作業機を支持した状態を説明する拡大した側面図である。
【図３】本発明の一実施形態に係るスタンド装置の構成を説明する斜視図である。
【図４】本発明の一実施形態に係るスタンド装置の構成を説明する側面図である。
【図５】本発明の一実施形態に係るスタンド装置の、一対の枠体を互いに連結する前の状態（ａ）及び連結した後の状態（ｂ）を説明する斜視図である。
【図６】本発明の一実施形態に係るスタンド装置の、一対の枠体を互いに連結する前の状態（ａ）及び連結した後の状態（ｂ）を説明する斜視図である。
【図７】本発明の一実施形態に係るスタンド装置の、一対の枠体を互いに連結する前の状態（ａ）及び連結した後の状態（ｂ）を説明する斜視図である。
【図８】本発明の一実施形態に係るスタンド装置の、一対の枠体を互いに連結する前の状態（ａ）、連結時の間隔を置いて配置した状態（ｂ）及び連結した後の状態（ｃ）を説明する斜視図である。
【図９】本発明の一実施形態に係るスタンド装置の、一対の枠体を互いに連結する前の状態（ａ）及び連結した後の状態（ｂ）を説明する斜視図である。
【図１０】本発明の一実施形態に係るスタンド装置の、一対の枠体を互いに連結する前の状態（ａ）及び連結した後の状態（ｂ）を説明する斜視図である。
【発明を実施するための形態】
【００１１】
＜第１実施形態＞
本実施形態においては、特に代掻き作業のための農作業機１０を支持するスタンド装置１００を例示して説明する。しかし、本発明によるスタンド装置はこれに限られず、耕耘・整地作業のための農作業機又は他の目的のための作業機にも適用することができる。以下、本実施形態に係るスタンド装置１００の構成について、図面を参照しながら詳細に説明する。
【００１２】
先ず、図１、図２Ａ及び図２Ｂを参照しながら、本実施形態に係るスタンド装置１００の、農作業機１０を支持した状態について説明する。図１は、本実施形態に係るスタンド装置１００の、農作業機１０を支持した状態を説明する斜視図である。図２Ａは、本実施形態に係るスタンド装置１００の、農作業機１０を支持した状態を説明する側面図である。図２Ｂは、図２Ａのスタンドホルダ付近Ａについて拡大した側面図である。
【００１３】
本実施形態に係るスタンド装置１００は、農作業機１０を脱着可能に支持するスタンド装置であり、一対の枠体１０２と、複数のキャスタ１０４とを備えている。一対の枠体１０２の各々は、第１連結部材１０６を介して農作業機１０と連結可能である。複数のキャスタ１０４は、一対の枠体１０２の各々に取り付けられている。つまり、農作業機１０の非使用時において、本実施形態に係るスタンド装置１００は、第１連結部材１０６を介して農作業機１０と連結させて支持することが可能である。
【００１４】
本実施形態においては、第１連結部材１０６は、ロックピンである。また、一対の枠体１０２の各々は、第１挿通孔を有する。第１挿通孔は、当該ロックピン１０６が抜き差し可能に挿通され、農作業機１０及び一対の枠体１０２の各々を連結するために設けられる。
【００１５】
本実施形態に係るスタンド装置１００に支持される農作業機１０は、中央作業部１０Ｃと、延長作業部左１０Ｌと、延長作業部右１０Ｒとを備えた３分割構造となっている。
【００１６】
中央作業部１０Ｃは、農作業機１０の中央部に配置されている。延長作業部左１０Ｌ及び延長作業部右１０Ｒは、中央作業部１０Ｃの左右方向両端部に設けられた回動支点である前後方向の折畳用軸１２を中心として、上下方向に回動可能となっている。延長作業部左１０Ｌ及び延長作業部右１０Ｒは、回動により折畳非作業状態（閉状態）及び展開作業状態（開状態）に選択的に切り換えることができ、展開作業状態時には中央作業部１０Ｃからの動力によって耕耘作業が可能である。尚、図１においては、延長作業部左１０Ｌ及び延長作業部右１０Ｒが共に折畳非作業状態の場合を示している。
【００１７】
中央作業部１０Ｃは、トップマスト１４、ロアーリンク連結部１６、入力軸１８、伝動フレーム２２、支持フレーム２４、耕耘ロータ３０、シールドカバー３４及びスタンドホルダ３６を有している。
【００１８】
トップマスト１４及びロアーリンク連結部１６は、中央作業部１０Ｃの前方中央部及び前方左右２箇所にそれぞれ設けられている。トップマスト１４及び左右２箇所に設けられたロアーリンク連結部１６は、図示しないトラクタのトップリンク及び左右２箇所に設けられたロアーリンク（３点リンクヒッチ機構）にそれぞれ連結され、農作業機１０はトラクタの後部に昇降可能に装着される。
【００１９】
入力軸１８は、中央作業部１０Ｃの前方中央部に設けられたギヤボックス２０に内装され、前方に突出している。入力軸１８には、トラクタのＰＴＯ軸から、ユニバーサルジョイント、伝動シャフト等を介して、動力が伝達される。
【００２０】
伝動フレーム２２及び支持フレーム２４は、本体フレームを兼ね、ギヤボックス２０の左右両側に、水平方向に延設されている。伝動フレーム２２は、伝動シャフト（図示せず）を内装している。支持フレーム２４は、伝動シャフトを内装せず、中空となっていてもよい。伝動フレーム２２の側端部にはチェーン伝動ケース２６が垂設され、また、支持フレーム２４の側端部には側部フレーム２８がチェーン伝動ケース２６と対向して垂設されている。
【００２１】
耕耘ロータ３０は、ロータリ軸３２及び複数の耕耘爪３３を含む。ロータリ軸３２は、チェーン伝動ケース２６の下端部と側部フレーム２８の下端部との間に軸架されている。複数の耕耘爪３３は、ロータリ軸３２の軸周りに、脱着可能に取り付けられている。トラクタから入力軸１８に伝達された動力は、ギヤボックス２０内で変速され、伝動シャフトを回転させてチェーン伝動ケース２６を介してロータリ軸３２を回転駆動し、耕耘ロータ３０を所定方向に回転させて耕耘作業を行う構成となっている。
【００２２】
シールドカバー３４は、伝動フレーム２２と側部フレーム２８の下部間に配置され、耕耘ロータ３０を覆う。
【００２３】
スタンドホルダ３６は、中央作業部１０Ｃの進行方向側且つ左右両端付近に設けられている。スタンドホルダ３６は、農作業機１０の非使用時において、農作業機１０と、スタンド装置１００とを連結するために設けられている。本実施形態において、スタンドホルダ３６はコの字形状を有し、少なくとも一対の挿通孔を有している。
【００２４】
農作業機１０と、スタンド装置１００との連結時は、スタンドホルダ３６がスタンド装置１００の枠体１０２の所定の位置を支持・把持する。この配置において、スタンドホルダ３６の上部の凹部３６ａに、枠体１０２の上端部に設けた支持ピン１１１が支持される。更に、スタンドホルダ３６に設けられた挿通孔と、枠体１０２に設けられた第１挿通孔１１０とを貫通して挿通される第１連結部材１０６を介して、脱着可能に連結される。
【００２５】
本実施形態においては、第１連結部材１０６はロックピン１０６である。本実施形態においては、ロックピン１０６は、ピン１０６ａ及びストッパ１０６ｂ有している。ストッパ１０６ｂはコの字形状を有し、両端部がピン１０６ａの両端部にそれぞれ連結される。これによって、ロックピン１０６の水平方向の位置を拘束する。尚、ストッパ１０６ｂはこの態様に限られず、ベータピン等であってもよい。
【００２６】
スタンド装置１００をスタンドホルダ３６に連結する際は、ロックピン１０６が取り外された状態で、枠体１０２の所定の位置をスタンドホルダ３６に嵌装する。そして、ロックピン１０６を、スタンドホルダ３６に設けられた挿通孔及びスタンド装置１００に設けられた一対の第１挿通孔１１０に挿通して両者を固定する。
【００２７】
延長作業部左１０Ｌ及び延長作業部右１０Ｒは、ほぼ左右対称の構造を有するため、以下では特に延長作業部左１０Ｌの構成ついて更に詳細に説明する。延長作業部左１０Ｌは、左油圧シリンダ３８Ｌ、２つの側部フレーム左２８Ｌ及び２９Ｌ、耕耘ロータ３０Ｌ、シールドカバー左３４Ｌを有している。
【００２８】
左油圧シリンダ３８Ｌは、伸縮動作に基づいて延長作業部左１０Ｌを中央作業部１０Ｃに対して回動させる駆動源としての左回動駆動手段として機能する。延長作業部左１０Ｌは、左油圧シリンダ３８Ｌの作動に基づき、折畳用軸１２を中心とする展開方向への所定角度、例えば略１８０度回動することにより中央作業部１０Ｃの外側方に位置する展開作業状態となり、折畳用軸１２を中心とする折畳方向への所定角度、例えば略１８０度回動することにより中央作業部１０Ｃの上方に位置する折畳非作業状態となる。
【００２９】
側部フレーム左２８Ｌ及び２９Ｌは、延長作業部左１０Ｌの左右両端に設けられている。
【００３０】
耕耘ロータ３０Ｌは、側部フレーム左２８Ｌ及び２９Ｌの下部間に、回転自在に支持されている。耕耘ロータ３０Ｌは、中央作業部１０Ｃに設けられた耕耘ロータ３０と同様に、ロータリ軸３２Ｌ及び複数の耕耘爪３３Ｌを有している。
【００３１】
シールドカバー左３４Ｌは、側部フレーム左２８Ｌ及び２９Ｌの上部間に、耕耘ロータ３０Ｌを覆うように設けられている。本実施形態においては、シールドカバー左３４Ｌは、中央作業部１０Ｃに設けられたシールドカバー３４と同様に構成される。
【００３２】
延長作業部左１０Ｌは、耕耘ロータ３０Ｌの回転軸方向の構成が、中央作業部１０Ｃの構成とほぼ同様となっている。つまり、耕耘ロータ３０Ｌの回転軸に直交する平面上の断面において、耕耘ロータ３０Ｌの回転軸、シールドカバー左３４Ｌの断面構成が、中央作業部１０Ｃのそれらとほぼ同様の断面構成を有している。
【００３３】
前述のように、トラクタから入力軸１８に伝達された動力が、前述の伝動機構を介して中央作業部１０Ｃの耕耘ロータ３０と共に、延長作業部左１０Ｌ及び延長作業部右１０Ｒに設けられた耕耘ロータ３０Ｌ及び３０Ｒに伝達され、耕耘ロータ３０Ｌ及び３０Ｒを所定方向に回転させるように構成されている。
【００３４】
以上、延長作業部左１０Ｌの構成について説明した。延長作業部右１０Ｒの構成は延長作業部左１０Ｌとほぼ同様であり、説明で用いた符号についてはＬをＲと読み替えればよい。
【００３５】
次いで、図３及び図４を参照しながら、本実施形態に係るスタンド装置１００の構成について詳細に説明する。図３は、本実施形態に係るスタンド装置１００の構成を説明する斜視図である。図４は、本実施形態に係るスタンド装置１００の構成を説明する側面図である。
【００３６】
本実施形態に係るスタンド装置１００は、一対の枠体１０２と、複数のキャスタ１０４とを備えている。
【００３７】
一対の枠体１０２の各々は、水平部１０２ａ及び支持部１０２ｂを有している。水平部１０２ａは、スタンド装置１００が農作業機１０を支持している状態において、水平面に対して略平行に延設される。水平部１０２ａの両端には、キャスタ１０４を装着するためのキャスタ座が設けられている。支持部１０２ｂは、水平部１０２ａの一端の近傍から、水平部１０２ａと角度を有して接合されている。また、支持部１０２ｂは、スタンド装置１００が農作業機１０を支持している状態において、水平面に対して角度を有している。支持部１０２ｂは、前述の第１挿通孔１１０を有している。つまり、農作業機１０と、スタンド装置１００との連結時は、スタンドホルダ３６の上部の凹部３６ａに、支持部１０２ｂの上端部に設けた支持ピン１１１が支持され、農作業機１０のスタンドホルダ３６がスタンド装置１００の支持部１０２ｂを把持する。この配置において、スタンドホルダ３６に設けられた挿通孔と、枠体１０２に設けられた第１挿通孔１１０とを貫通して挿通されるロックピン１０６を介して、農作業機１０と、スタンド装置１００とが脱着可能に連結される。第１挿通孔１１０の数には特に制限は無いが、ロックピン１０６が支持部１０２ｂを貫通して挿通されるために、少なくとも一対の第１挿通孔１１０を有していればよい。
【００３８】
本実施形態において、水平部１０２ａ及び支持部１０２ｂは柱状の金属部材であり、一対の枠体１０２の各々は、支持部１０２ｂが水平部１０２ａの一端近傍に溶接されることによって構成されている。また、本実施形態において、水平部１０２ａ及び支持部１０２ｂは中空であり、矩形状の断面を有する。
【００３９】
複数のキャスタ１０４は、一対の枠体１０２の各々に取り付けられている。本実施形態においては、一対の枠体１０２の各々において、２個のキャスタ１０４がそれぞれ、水平部１０２ａの両端近傍に設けられたキャスタ座に取り付けられている。
【００４０】
次いで、図５を参照しながら、本実施形態に係るスタンド装置１００の、一対の枠体１０２を互いに連結した状態について説明する。図５は、本実施形態に係るスタンド装置１００の、一対の枠体１０２を互いに連結する前の状態（ａ）及び連結した後の状態（ｂ）を説明する斜視図である。
【００４１】
一対の枠体１０２は、第２連結部材１０８を介して互いに連結可能である。つまり、農作業機１０の使用時においては一対の枠体１０２の各々は、第２連結部材１０８を介して互いに連結され、一対の枠体１０２を一体としておくことが可能である。つまり、スタンド装置１００の非使用時においても、スタンド装置１００を自立させることが可能である。そのため、スタンド装置１００の非使用時に、構成部品を壁に立てかけたり、地面に倒したりせずに保管することができる。
【００４２】
第２連結部材１０８は、一対の枠体１０２の各々を、所望の間隔を置いて互いに連結することができる部材であればよい。本実施形態においては、水平部１０２ａに連結される第２連結部材１０８に加え、支持部１０２ｂに連結される第３連結部材１０９によって、一対の枠体１０２の各々が互いに連結されている。
【００４３】
水平部１０２ａに連結される第２連結部材１０８は、支持板１０８ａ、及び４枚の側板１０８ｂを有する。４枚の側板１０８ｂは、互いに間隔を置いて、互いに平行に支持板１０８ａの一表面に立設されている。更に、４枚の側板１０８ｂの各々には、挿通孔１０８ｃが設けられている。
【００４４】
一対の枠体１０２が、第２連結部材１０８を介して互いに連結されるときに、支持板１０８ａ及び４枚の側板１０８ｂは、一対の枠体１０２の各々の水平部１０２ａを把持するように配置されている。これによって、一対の枠体１０２の間隔が拘束される。
【００４５】
ここで、一対の枠体１０２の各々は、第１連結部材１０６を介して第２連結部材１０８と連結可能である。前述の通り、本実施形態においては、第１連結部材１０６はロックピン１０６である。ロックピン１０６は、第２連結部材１０８の側板１０８ｂに設けられた挿通孔１０８ｃに挿通される。つまり、一対の枠体１０２の各々の水平部１０２ａは、支持板１０８ａ、２枚の側板１０８ｂ及びロックピン１０６によってその周囲を囲まれて把持される。
【００４６】
ロックピン１０６は、ピン１０６ａ及びストッパ１０６ｂ有している。ストッパ１０６ｂはコの字形状を有し、両端部がピン１０６ａの両端部にそれぞれ連結される。これによって、ロックピン１０６の水平方向の位置を拘束する。尚、ストッパ１０６ｂはこの態様に限られず、ベータピン等であってもよい。
【００４７】
ロックピン１０６は、スタンド装置１００が農作業機１０を支持している状態においては、農作業機１０と、一対の枠体１０２の各々とを連結するための部材である。これによって、第２連結部材１０８と、一対の枠体１０２の各々とを安定して連結することができる。更に、ロックピン１０６の紛失防止にも繋がる。
【００４８】
一方、支持部１０２ｂに連結される第３連結部材１０９は、棒状の連結部材である。第３連結部材１０９は、一対の枠体１０２の第１挿通孔１１０に挿通される。第１挿通孔１１０は、前述の通り、農作業機とスタンド装置１００とを連結した状態において、第１連結部材１０６（ロックピン１０６）が挿通される挿通孔である。第３連結部材１０９の一端には、ストッパが設けられている。第３連結部材１０９の他端には、ベータピン１１６を取り付けることができる。これによって、一対の枠体１０２が所望の間隔を置いて互いに脱着可能に連結される。
【００４９】
尚、本実施形態において、支持部１０２ｂに連結される第３連結部材１０９は必須の構成ではない。つまり、水平部１０２ａに連結される第２連結部材１０８のみで、一対の枠体１０２を互いに連結することができる。よって、第３連結部材１０９は省略してもよい。
【００５０】
本実施形態に係るスタンド装置１００は、以上のような構成を有することによって、農作業機１０を支持していないとき、つまり農作業機１０の使用時等において、スタンド装置１００を構成する複数の部品を連結して一体の構成としておくことができる。このとき、スタンド装置１００は台車としても機能する。つまり、一対の枠体１０２の水平部１０２ａの上に荷物等を載せることができ、人力で支持部１０２ｂ等を押したり引いたりすることによって走行させることができる。そのため、スタンド装置の運搬や移動が容易になるとともに、その他の重量物の運搬や移動のためにも使用することができる。
【００５１】
圃場や倉庫内において、スタンド装置１００を構成する複数の部品が分離したまま散乱又は放置されていると、農作業者の移動、農作業機の走行等の妨げになる場合があり、危険を伴う場合もあり得る。本実施形態に係るスタンド装置１００は、以上のような構成を有することによって、これらの課題を解決することができる。
【００５２】
また、このとき、農作業機１０を連結するための第１連結部材１０６を介して第２連結部材１０８及び一対の枠体１０２の各々を連結可能であるため、第１連結部材１０６の紛失防止に繋がる。第１連結部材１０６としては主にロックピン１０６が用いられるが、これらは細かく小さいものであるため、従来のスタンド装置においては紛失し易いという課題を解決することができる。
【００５３】
＜変形例＞
本実施形態に係るスタンド装置１００の一変形例について説明する。本実施形態においては、一対の枠体１０２の各々は、ロックピン１０６を介して第２連結部材１０８と連結可能である態様を示した。他の例として、一対の枠体１０２の各々は、磁石を介して第２連結部材１０８と連結可能としてもよい。この場合、例えば支持板１０８ａの、水平部と重畳する部分に、磁石を設けておけばよい。
【００５４】
＜第２実施形態＞
本発明によるスタンド装置の、他の実施形態について説明する。本発明によるスタンド装置は、特に第２連結部材１０８について様々な態様が可能である。以下では、本実施形態に係るスタンド装置２００の、水平部１０２ａに連結される第２連結部材１０８に係る構成を中心に説明する。
【００５５】
図６は、本実施形態に係るスタンド装置２００の、一対の枠体１０２を互いに連結する前の状態（ａ）及び連結した後の状態（ｂ）を説明する斜視図である。
【００５６】
この例では、第１実施形態に係るスタンド装置１００と比較すると、水平部１０２ａに連結される第２連結部材１０８は、一対のコの字形状の部材が互いに逆向きに連結されている点で異なっている。一対の側板１０８ｅは、互いに平行に配置され、支持板１０８ｄの両端部に接続されている。一対の側板１０８ｅにはそれぞれ、挿通孔１０８ｆが設けられている。
【００５７】
一対の枠体１０２が、第２連結部材１０８を介して互いに連結されるときに、コの字形状の部材が、一対の枠体１０２の各々の水平部１０２ａを把持するように配置されている。つまり。一方のコの字形状の部材において、一対の側板１０８ｅは、一方の枠体１０２の水平部１０２ａを挟持するように配置され、支持板１０８ｄは、他方の枠体１０２の水平部１０２ａに接触している。これによって、一対の枠体１０２が所望の間隔を置いて互いに脱着可能に連結される。
【００５８】
ここで、本実施形態においても、一対の枠体１０２の各々は、第１連結部材１０６を介して第２連結部材１０８と連結可能である。第１連結部材１０６は、コの字形状の部材に設けられた挿通孔１０８ｆに、水平面に対して垂直方向に挿通される。本実施形態においても、第１連結部材１０６はロックピン１０６である。ロックピン１０６は、スタンド装置２００が農作業機１０を支持している状態においては、農作業機１０と、一対の枠体１０２の各々とを連結するための部材である。これによって、第２連結部材１０８と、一対の枠体１０２の各々とを安定して連結することができる。更に、ロックピン１０６の紛失防止にも繋がる。
【００５９】
尚、本実施形態においても、支持部１０２ｂに連結される第３連結部材１０９は必須の構成ではない。つまり、水平部１０２ａに連結される第２連結部材１０８のみで、一対の枠体１０２を互いに連結することができる。よって、第３連結部材１０９は省略してもよい。  
【００６０】
＜第３実施形態＞
本発明によるスタンド装置の、他の実施形態について説明する。本実施形態においても、スタンド装置の水平部１０２ａに連結される第２連結部材１０８に係る構成を中心に説明する。
【００６１】
図７は、本実施形態に係るスタンド装置３００の、一対の枠体１０２を互いに連結する前の状態（ａ）及び連結した後の状態（ｂ）を説明する斜視図である。
【００６２】
この例では、第１実施形態に係るスタンド装置１００と比較すると、水平部１０２ａに連結される第２連結部材１０８は、支持板１０８ｇ及び一対のロックピン１０８ｈを有している点で異なっている。一対のロックピン１０８ｈは、支持板１０８ｇの一表面に、支持板１０８ｇに対して垂直に立設されている。
【００６３】
ここで、一対の枠体１０２の各々は、第２挿通孔１１２を更に有する。第２挿通孔１１２は、ロックピン１０８ｈが抜き差し可能に挿通され、第２連結部材１０８及び一対の枠体１０２の各々を連結するために設けられる。
【００６４】
一対の枠体１０２が、第２連結部材１０８を介して互いに連結されるときに、一対のロックピン１０８ｈが、一対の枠体１０２の各々に設けられた第２挿通孔１１２に挿通される。これによって、一対の枠体１０２の間隔が拘束される。更に、この状態においてロックピン１０８ｈの先端部にベータピン１１６が取り付けられる。これによって、水平部１０２ａに対する第２連結部材１０８の垂直方向の位置が拘束される。これによって、一対の枠体１０２が所望の間隔を置いて互いに脱着可能に連結される。
【００６５】
＜第４実施形態＞
本発明によるスタンド装置の、他の実施形態について説明する。本実施形態においても、スタンド装置の水平部１０２ａに連結される第２連結部材１０８に係る構成を中心に説明する。
【００６６】
図８は、本実施形態に係るスタンド装置４００の、一対の枠体１０２を互いに連結する前の状態（ａ）、連結時の間隔を置いて配置した状態（ｂ）及び連結した後の状態（ｃ）を説明する斜視図である。
【００６７】
この例では、第１実施形態に係るスタンド装置１００と比較すると、第２連結部材１０８は、一対の枠体１０２の各々に設けられている点で異なっている。本実施形態においては、一対の第２連結部材１０８を二組有している。二組の第２連結部材１０８の内、一方の組は、一対の枠体１０２の各々の水平部１０２ａの一端近傍に設けられている。二組の第２連結部材１０８の内、他方の組は、一対の枠体１０２の各々の水平部１０２ａの他端近傍に設けられている。
【００６８】
一対の第２連結部材１０８の各々には、２箇所に挿通孔１０８ｉが設けられている。一対の枠体１０２を連結時の間隔を置いて配置した状態（ｂ）において、一対の第２連結部材１０８の計４か所の挿通孔１０８ｉが重畳する。この状態において、一対の第２連結部材１０８の計４か所の挿通孔１０８ｉにロックピン１０６挿通することによって、一対の枠体１０２を互いに連結することができる。
【００６９】
本実施形態によれば、第２連結部材１０８が一対の枠体１０２に設けられているため、第２連結部材１０８を紛失することが無い。更に、ロックピン１０６を介して一対の枠体１０２が互いに連結されるため、ロックピン１０６を紛失することも無い。
【００７０】
＜第５実施形態＞
本発明によるスタンド装置の、他の実施形態について説明する。本実施形態においても、スタンド装置の水平部１０２ａに連結される第２連結部材１０８に係る構成を中心に説明する。
【００７１】
図９は、本実施形態に係るスタンド装置５００の、一対の枠体１０２を互いに連結する前の状態（ａ）及び連結した後の状態（ｂ）を説明する斜視図である。
【００７２】
この例では、第１実施形態に係るスタンド装置１００と比較すると、第２連結部材１０８は、一対の枠体１０２の各々の一端部において、一対の枠体１０２を互いに連結している点で異なっている。水平部１０２ａ及び支持部１０２ｂから構成される枠体１０２は、中空となっているため、水平部１０２ａの両端部及び支持部１０２ｂの一端部は開口縁となる。第２連結部材１０８は、それらの中空部に嵌合する一対の凸部を有する。これによって、一対の枠体１０２の各々の中空部と、第２連結部材１０８の凸部とが嵌合することによって連結可能となっている。また、第２連結部材１０８を枠体１０２の水平部１０２ａの両端部に接合すれば、第３連結部材１０９を省略してもよい。
＜第６実施形態＞
本発明によるスタンド装置の、他の実施形態について説明する。本実施形態においても、スタンド装置の水平部１０２ａに連結される第２連結部材１０８に係る構成を中心に説明する。
【００７３】
図１０は、本実施形態に係るスタンド装置６００の、一対の枠体１０２を互いに連結する前及び連結した後の状態を説明する斜視図である。
【００７４】
この例では、第１実施形態に係るスタンド装置１００と比較すると、支持部１０２ｂに連結された第２連結部材１０９は、把手１１４を有する点で異なっている。このような構成によれば、スタンド装置５００の運搬や移動が更に容易になる。
【００７５】
以上、幾つかの実施形態に係るスタンド装置の構成について説明した。本発明によれば、農作業機１０の使用時において、取り扱いが容易なスタンド装置を提供することができる。
【００７６】
上記の実施形態においては、特に代掻き作業のための農作業機１０を支持するスタンド装置を例示して説明したが、本発明によるスタンド装置はこれに限られず、耕耘・整地作業のための農作業機又は他の目的のための作業機にも適用することができる。つまり、本発明によるスタンド装置の支持部１０２ｂを把持することが可能なスタンドホルダ３６を有する作業機であればよい。
【符号の説明】
【００７７】
農作業機：１０  中央作業部：１０Ｃ  延長作業部左：１０Ｌ  延長作業部右：１０Ｒ  折畳用軸：１２  トップマスト：１４  ロアーリンク連結部：１６  入力軸：１８  ギヤボックス：２０  伝動フレーム：２２  支持フレーム：２４  チェーン伝動ケース：２６  側部フレーム：２８  耕耘ロータ：３０  ロータリ軸：３２  シールドカバー：３４  スタンドホルダ：３６  凹部：３６ａ  左油圧シリンダ３８Ｌ  スタンド装置：１００、２００、３００、４００、５００、６００  枠体：１０２  水平部：１０２ａ  支持部：１０２ｂ  キャスタ：１０４  第１連結部材（ロックピン）：１０６  第２連結部材：１０８  第３連結部材１０９  第１挿通孔：１１０  支持ピン：１１１  第２挿通孔：１１２  把手：１１４
【図１】
2018000143.tif 000003
【図２Ａ】
2018000143.tif 000004
【図２Ｂ】
2018000143.tif 000005
【図３】
2018000143.tif 000006
【図４】
2018000143.tif 000007
【図５】
2018000143.tif 000008
【図６】
2018000143.tif 000009
【図７】
2018000143.tif 000010
【図８】
2018000143.tif 000011
【図９】
2018000143.tif 000012
【図１０】
2018000143.tif 000013